(57)【要約】【課題】蓄光弾に光を照射して光を蓄積するための発光体を、銃口からその光が洩れ出ないようにする。【解決手段】蓄光弾６に光を照射する発光体１４を、ケース本体１の銃口から離れた内部に配置する。より具体的には、銃身２の手前の、弾６を送る送出路１０近傍に配置する。発光体１４が駆動用モーター５の駆動とともに発光し、光を蓄光弾６に照射して、発射された弾６が蓄積した光を放射して発光する。発光体１４の発光する光は、銃口から洩れ出ない。【選択図】図１
0003124634.tif 000002
【実用新案登録請求の範囲】
【請求項１】
照射された光を蓄積する蓄光材料を含む蓄光弾を発射するエアガンであって、
エアガンのケース本体内部に、蓄光弾に向って光を照射する発光体を配置してなる
蓄光弾を使用するエアガン。
【請求項２】
発光体は、ＬＥＤであることを特徴とする
請求項１記載の蓄光弾を使用するエアガン。
【請求項３】
発光体は、銃身まで蓄光弾を送るための送出路近傍に配置することを特徴とする
請求項１記載の蓄光弾を使用するエアガン。
【請求項４】
発光体のための電源は、エアガン駆動用の電源である乾電池を併用することを特徴とする
請求項１記載の蓄光弾を使用するエアガン。
【考案の詳細な説明】
【技術分野】
【０００１】
本考案は、遊戯用に使用する空気によって弾を発射するエアガンに関するもので、特に発射する弾として、光を蓄積して発光する蓄光弾を使用するエアガンに関するものである。
【背景技術】
【０００２】
エアガンは、遊戯用に愛好者が使用するもので、時にはゲーム感覚で撃ち合いをして楽しむこともある。その弾として使用するのは、主に樹脂製の弾であるが、夜間暗くなってから弾を発射しても、その弾がよく見えないと、ゲームとしての興がそがれる。そのため、暗い処でも発射された弾が視認できるように、弾を蓄光材料を表面に塗布した蓄光弾を使用することがあった。
【０００３】
蓄光材料は照射された光をその成分の特性として蓄積し、ある程度の時間をかけてその光を放射する材料で、その材料を使用して製造した蓄光弾が、光を浴びてその光を蓄積し、その後或る時間で光を放射して発光するものである。この光によって飛び交う弾の弾道を確認したり、相手に弾が当たったか否かを確認して、ゲームとして撃ち合いを楽しむことができた。
【０００４】
このような蓄光弾を使用するエアガンとして、特開２００３−３２９３９５号公報に記載された発明が存在する。同公報に記載された発明は、蓄光弾に光を照射する発光体を備えているのであるが、その発光体が銃身の先端近傍に配置され、発射直後の弾に光を照射するものである。
【０００５】
このような銃口近傍に発光体を配置するエアガンであると、発光する光が銃口から漏れ出てしまい、射撃している場所が見つけやすくなってしまっていた。つまりは、射撃手の位置を相手に知らせるような結果となって、やはりゲームの面白みを減ずることとなっていた。
【０００６】
銃口部分に発光体を取付ける従来の構造であると、その分のスペースを確保する必要が生じ、それだけ銃口部分が長くなってしまうこともある。本物の銃の形状を模したエアガンが多い中で、銃口部分が長くなると、本物の形状から違った不満の出るモデルとなってしまうことがあった。
【特許文献１】特開２００３−３２９３９５号公報
【考案の開示】
【考案が解決しようとする課題】
【０００７】
解決しようとする課題は、蓄光弾に光を照射する発光体の光が、エアガンの外にまで漏れでて、ゲームとしての遊戯の興を減じてしまうことである。
【課題を解決するための手段】
【０００８】
本考案にかかる蓄光弾を使用するエアガンは、銃口近傍ではなく、ケース本体内部に蓄光弾に向って光を照射する発光体を配置するもので、特に弾を銃身手前まで送る送出路近傍に配置することを特徴とするものである。
【考案の効果】
【０００９】
本考案にかかる蓄光弾を使用するエアガンは、以上のような課題を解決して、以下のような効果を得ることができる。
<イ>発光体がケース本体内部にあって、その光が銃身先端から漏れるのを最小限にすることが可能となり、相手から視認し難く、相手に自分の位置を知られることなくゲームを行うことができるため、ゲームの興を減ずることがない。
<ロ>特に発光体を、弾を銃身手前まで送る送出路近傍に配置することで、弾が発射される直前の位置で光を浴び、そして銃身に送られるため、発射されてから発光する時間が長く、暗い場所での撃ち合いの面白みを充分に楽しむことができる。
<ハ>発光体をケース本体内部に収納するため、銃口部分にはサイレンサー等の別のアクセサリーを取付けることが装着可能となる。
<ニ>発光体をケース本体内に配置することで、銃口部分の長さを長くすることもなく、全長・外観の変化を最小に留めることができ、本物を模した銃の面白みを損なうことがない。
<ホ>発光体の電源として、エアガン駆動用の乾電池を併用することができ、別途に電池等の電源を確保する必要がない。
【考案を実施するための最良の形態】
【００１０】
以下、図面を参照にしながら、本考案の好適な実施の形態を詳細に説明する。図において１はエアガンの内部機構を収納するケース本体であって、その内部機構として図２に示す構造が配置されている。図２において、２はインナーバレルと呼ばれる銃身であり、その銃身２の中間に弾を送り込むチャンバー３が介在している。４はメカボックスと呼ばれる電動ガン発射機構であって、駆動用モーター５によって内部のピストン（図示せず）を駆動して、そのピストンからの圧縮された空気が弾６を送り出して、銃身２先端の銃口から発射するものである。
【００１１】
図において７は、乾電池であって、駆動用モーター５を駆動するための電源である。８はスイッチであって、引き金（トリガー）９を引くとスイッチ８は入力状態となって、モーター５が駆動して弾６を発射する。
【００１２】
弾６は、この考案にかかるエアガンで使用する蓄光弾であって、蓄光材料を表面に塗布した合成樹脂製の球状の弾である。蓄光材料としては、例えばユウロピウムを主要の活性化剤としたアルミン酸ストロンチウム塩長残光蓄光材料などが使用され、これを表面に塗布して蓄光性能を得ている。この蓄光層の上に、蛍光顔料や、着色顔料又は染料を更に塗布して、着色層を形成してもよい。この蓄光弾６に光が当たると、蓄光層が光を蓄積し、着色層６の色を透かして好みの色に発光する。
【００１３】
図において１０は、蓄光弾６を銃身２内に送るための筒状の送出路であって、着脱式のカートリッジ１２に装填した弾６を、銃身２に送出す手前に位置している。送出路１０には窓１３が開口しており、その窓１３と向き合って、ＬＥＤから成る発光体１４が配置されている。この発光体１４も乾電池７を電源として発光するものであり、引き金９を引くことによりスイッチ８が入り、モーター５と連動して発光する。或いは、引き金９を引いても発光体１４が発光しないように、切り替えできるよう別途マニュアルスイッチを設けることもできる。図において１５は、発光体１４の発光輝度を制御するための減圧抵抗器である。
【００１４】
以上のような内部機構が，ケース本体１内に収納されており、引き金９を引くと、駆動用モーター５が駆動して圧縮された空気を送り、銃身２内に装填された蓄光弾６を押し出し、銃口から発射する。同時に発光体１４が発光して、送出路１０の窓１３に覗いた蓄光弾６に光を照射する。蓄光弾６の蓄光層は、その光を蓄積して、光を溜めた状態で次の発射に備えて、銃身に送られる。そして次の駆動による圧縮空気によって押し出され、銃口から発射される。発射された弾６は、蓄積した光を放って発光する。図に示す形態では、銃口手前の送出路１０で発光体１４と向き合って光の照射を受けるが、銃身２に装填された状態の発射待ちの弾６にも光が当たるよう、銃身２に装填された弾６の直下にも窓を開けておき、発光体１４が光ったときに、その光がその弾６に照射されるようにしてもよい。
【００１５】
その他、発光体１４の配置位置は、ケース本体１内部には空隙が多いため、本体１内部であればいずれの場所でもその光が蓄光弾６に当たるため、必ずしも銃身２の手前に配置する必要はない。しかしながら、発射される直前の弾６に光が照射されれば、発射されてからの発光時間を長く維持できるため、出来るだけ発射される直前の弾６に発光体１４の光が直に照射されるのが望ましい。とにかく、本願考案では、発光体１４の発光が銃口から漏れないことが重要であって、銃口から離隔したケース本体１内のいずれかの場所であることが要件である。
【産業上の利用可能性】
【００１６】
蓄光弾６に光を照射して発光させるだけでなく、飛び出し玩具における蛍光自動車や人形などに光を照射する用途にも適用できる。
【図面の簡単な説明】
【００１７】
【図１】エアガンの内部機構の説明図である。
【図２】エアガンの一部断面全体図である。
【符号の説明】
【００１８】
１：ケース本体
２：銃身
３：チャンバー
４：電動ガン発射機構
５：駆動用モーター
６：蓄光弾
７：乾電池
８：スイッチ
９：引き金
１０：送出路
１２：カートリッジ
１３：窓
１４：発光体
１５：減圧抵抗器
【図１】
0003124634.tif 000003
【図２】
0003124634.tif 000004